(57)【要約】【課題】Ｘ線発生装置から発生されたＸ線による余剰放射線を遮蔽する。【解決手段】放射線遮蔽体は、鉄５１と、鉄５１より原子番号の大きいタンタル５２とからなる。鉄５１とタンタル５２の組合せ時の減弱指数（減弱係数×厚さ）が３ｍｍ以下の厚さにおける鉛の減弱指数と同等以上になるようにそれぞれを適当な厚さにて組合せ、Ｘ線検出器７０の背面及び側面に設ける。【選択図】　図７
2004028789.tif 000002
【特許請求の範囲】
【請求項１】
鉄又は鉄と原子番号が近接する物質を主物質とする第１の構成要素と、この第１の構成要素の主物質よりも原子番号が大きく鉛よりも原子番号の小さい物質を主物質とする第２の構成要素と、を具備することを特徴とする放射線遮蔽体。
【請求項２】
前記鉄と原子番号が近接する物質はチタン、クロム、マンガン、コバルト、ニッケル、銅、及び亜鉛のいずれか１つの物質であることを特徴とする請求項１に記載の放射線遮蔽体。
【請求項３】
前記第２の構成要素の主物質はタンタル又はタンタルと原子番号が近接する物質であることを特徴とする請求項１又は２に記載の放射線遮蔽体。
【請求項４】
１以上の物質からなる第１の構成要素と、１以上の物質からなり、その主物質の減弱係数が前記第１の構成要素の主物質の減弱係数よりも大きい、非固体状の第２の構成要素と、を具備し、前記第１の構成要素を被放射線遮蔽体に対して前記第２の構成要素を覆い包むよう配置することを特徴とする放射線遮蔽体。
【請求項５】
前記第２の構成要素の主物質はバリウム又はバリウムと原子番号が近接する物質であることを特徴とする請求項４に記載の放射線遮蔽体。
【請求項６】
鉛以外の物質を主物質とする第１の構成要素と、鉛以外の物質を主物質とし、強度及び減弱係数の少なくとも一方が前記第１の構成要素の主物質のそれを上回る第２の構成要素とを具備し、物質の減弱係数及び厚さにより決まる減弱指数について、前記第１の構成要素及び前記第２の構成要素をそれぞれ適当な厚さにして組み合わせたときの減弱指数が所定の厚さにおける鉛の減弱指数と同等以上であることを特徴とする放射線遮蔽体。
【請求項７】
被検体を透過したＸ線を検出するＸ線検出部と、
鉄又は鉄と原子番号が近接する物質を主物質とする第１の構成要素と、この第１の構成要素の主物質よりも原子番号が大きく鉛よりも原子番号の小さい物質を主物質とする第２の構成要素と、を備える放射線遮蔽体と
を具備し、前記Ｘ線検出部に対して前記被検体とは異なる側に前記放射線遮蔽体を設けて使用に供することを特徴とする放射線検出器。
【請求項８】
Ｘ線を発生するＸ線発生部と、
このＸ線発生部により発生され被検体を透過したＸ線を検出するＸ線検出部と、
鉄又は鉄と原子番号が近接する物質を主物質とする第１の構成要素と、この第１の構成要素の主物質よりも原子番号が大きく鉛よりも原子番号の小さい物質を主物質とする第２の構成要素と、を備える放射線遮蔽体と
を具備し、前記Ｘ線検出部に対して前記被検体とは異なる側に前記放射線遮蔽体を設けることを特徴とする放射線診断装置。
【発明の詳細な説明】
【０００１】
【発明の属する技術分野】
本発明はＸ線発生装置から発生されたＸ線による余剰放射線を遮蔽するための放射線遮蔽体、この放射線遮蔽体を具備する放射線検出器、およびこの放射線遮蔽体を具備する放射線診断装置に関する。
【０００２】
【従来の技術】
従来、Ｘ線を発生する装置におけるＸ線遮蔽に関しては、例えば、特公平７−６６０８０号（Ｘ線フィルムに入射する照射野を制限するＸ線絞りに使われる遮蔽体を従来よりも薄く作るＸ線絞り装置）や、特開昭６３−６１９９９号（Ｘ線検出器に入射するＸ線の遮蔽効果を高めるＸ線遮蔽部材）等が知られている。
【０００３】
前者は、鉛などの遮蔽部材に薄い繊維強化プラスチックなどの補強材部材を張り合わせ、遮蔽能力をそのままにして、薄くかつ強靭な遮蔽材を構成するものである。また、後者は、Ｋ吸収端の異なる２種類の部材、例えば、鉛とタンタルなどを貼り合わせて、Ｘ線検出器に入射する線質を変えることによって遮蔽効果を高めた遮蔽材を作るというものである。
【０００４】
一方、Ｘ線を利用した診断装置においては、Ｘ線発生器から照射されたＸ線が患者やＸ線検出器などを透過し利用されずに診断装置の外に放射される余剰放射線の量が一定の基準以内となるよう各種規格等（例えば国内については医療用エックス線装置基準等、また海外についてはＩＥＣ６０６０１−１−３等）により制限されている。
【０００５】
このような制限により、一般にはＸ線検出器の背面やその周辺に放射線遮蔽体を設けることで上記規格を満たすようにされている。
【０００６】
放射線遮蔽体としては従来、２ｍｍ〜３ｍｍ程度の厚さの鉛が使われていた。これは、放射線に対する遮蔽能力が、（１）原子番号が大きい物質ほど高くなること（鉛（Ｐｂ）は原子番号８２）、（２）入手性および価格の面で、鉛と同レベルの原子番号を有する他の物質に比べてはるかに優れていること、が理由となっている。
【０００７】
しかしながら、近年は環境に配慮する点から、できるだけ鉛を使わない製品作りが求められるようになってきている。
【０００８】
【発明が解決しようとする課題】
このように従来の放射線遮蔽体は主として鉛を用いて構成されていたため、近年の環境問題の観点から好ましくなく、各方面で鉛を排除していく世の中の流れに逆らうものであった。また、鉛を使用しない場合に鉛以外の物質を使用して鉛と同等レベルの遮蔽効果を期待するには、鉛の何十倍もの厚さを要したり、強度の面で脆かったり、稀少物質のために非常に高価となってしまう、等、実用に耐えうるものが得られなかった。
【０００９】
特に鉄などは汎用物質として入手も容易で安価、強度的にも堅牢であるという優れた点がありながら、遮蔽能力に劣るために鉛と同等以上の遮蔽効果を期待するには非常に厚いものとならざるを得ないという問題があった。
【００１０】
従って、本発明は、実質的に鉛を用いることなく、例えば鉄を用いた場合でも実用に耐え得る放射線遮蔽体、この放射線遮蔽体を具備する放射線検出器、およびこの放射線遮蔽体を具備する放射線診断装置を提供することを目的とする。
【００１１】
【課題を解決するための手段】
上記目的を達成するために、請求項１記載の本発明の放射線遮蔽体は、鉄又は鉄と原子番号が近接する物質を主物質とする第１の構成要素と、この第１の構成要素の主物質よりも原子番号が大きく鉛よりも原子番号の小さい物質を主物質とする第２の構成要素と、を具備することを特徴とする。
【００１２】
これにより、鉄又は鉄と原始番号が近接する物質を用いて放射線遮蔽体を構成する場合に鉄単体で構成するよりも薄い放射線遮蔽体を実現できる。
【００１３】
また、請求項４記載の発明の放射線遮蔽体は、１以上の物質からなる第１の構成要素と、１以上の物質からなり、その主物質の減弱係数が前記第１の構成要素の主物質の減弱係数よりも大きい、非固体状の第２の構成要素と、を具備し、前記第１の構成要素を被放射線遮蔽体に対して前記第２の構成要素を覆い包むよう配置することを特徴とする。
【００１４】
さらに、請求項６記載の本発明の放射線遮蔽体は、鉛以外の物質を主物質とする第１の構成要素と、鉛以外の物質を主物質とし、強度及び減弱係数の少なくとも一方が前記第１の構成要素の主物質のそれを上回る第２の構成要素とを具備し、物質の減弱係数及び厚さにより決まる減弱指数について、前記第１の構成要素及び前記第２の構成要素をそれぞれ適当な厚さにして組み合わせたときの減弱指数が所定の厚さにおける鉛の減弱指数と同等以上であることを特徴とする。
【００１５】
請求項７記載の本発明においては、被検体を透過したＸ線を検出するＸ線検出部と、鉄又は鉄と原子番号が近接する物質を主物質とする第１の構成要素と、この第１の構成要素の主物質よりも原子番号が大きく鉛よりも原子番号の小さい物質を主物質とする第２の構成要素と、を備える放射線遮蔽体とを具備し、前記Ｘ線検出部に対して前記被検体とは異なる側に前記放射線遮蔽体を設けて使用に供することを特徴とする放射線検出器を提供することも特徴とする。
【００１６】
さらに、請求項８記載の本発明においては、Ｘ線を発生するＸ線発生部と、このＸ線発生部により発生され被検体を透過したＸ線を検出するＸ線検出部と、鉄又は鉄と原子番号が近接する物質を主物質とする第１の構成要素と、この第１の構成要素の主物質よりも原子番号が大きく鉛よりも原子番号の小さい物質を主物質とする第２の構成要素と、を備える放射線遮蔽体とを具備し、前記Ｘ線検出部に対して前記被検体とは異なる側に前記放射線遮蔽体を設けることを特徴とする放射線診断装置を提供することも特徴とする。
【００１７】
上述のような本発明によれば、主物質として鉛を使うことなく放射線の遮蔽が可能になる。各物質において互いの長所により互いの短所を補うことができるような複数の物質を組み合わせることにより、実用的な放射線遮蔽体及びこの放射線遮蔽体を含む放射線診断装置を提供することができる。
【００１８】
【発明の実施の形態】
（第１の実施の形態）
以下に、本発明による放射線遮蔽体の第１の実施の形態を図１乃至図９を参照して説明する。まず初めに図１乃至図４を用いて本発明の概要を説明する。
【００１９】
図１はＸ線診断装置を用いた検査時の状態の一例を示す側面図であり、同時に本発明の放射線遮蔽体を有する放射線診断装置を説明するための図である。図１においてＸ線診断装置は、Ｘ線を照射するためのＸ線発生器１と、患者２が寝る寝台３と、患者２を透過したＸ線を検出するＸ線検出器４と、Ｘ線検出器４の後方などから漏れてしまう、Ｘ線を含む余剰放射線５を遮蔽する放射線遮蔽体６とから構成される。
【００２０】
Ｘ線発生装置１により発生されたＸ線は寝台３に寝た患者２に対して照射され、患者２、寝台３を透過してＸ線検出器４にて収集、検出される。Ｘ線検出器４で検出された情報は図示しない後段の装置に送信されて画像情報として処理される。なお、Ｘ線検出器４としては一般にＸ線螢光増倍管やＸ線平面検出器（平面状の固体検出器）などが挙げられる。なお、Ｘ線検出器４がＸ線フィルム自体である場合はこのフィルムに画像情報が記録される。患者２を透過したＸ線のうちＸ線検出器４にて収集されなかった、或いはＸ線検出器４から漏れた、Ｘ線を含む放射線（余剰放射線５）については放射線遮蔽体６を設置することにより、Ｘ線診断装置の外に放射されるのが抑えられる。
【００２１】
なお、図２はＸ線検出器としてＸ線螢光増倍管７が用いられた場合に放射線遮蔽体９が設けられる様子を示す図である。同図において８はテレビカメラ、１０はＸ線螢光増倍管７の画像出力部である。テーブル３には入力近辺のＸ線を遮蔽するために放射線遮蔽体９が貼られる形態でもよい。また、Ｘ線螢光増倍管７のまわりには放射線遮蔽体９が一体形成されて（貼られて）もよい。なお、画像出力部１０には放射線遮蔽体９が設けられていないので、テレビカメラ８に対して放射線遮蔽体９を設けて、画像出力部１０から出てくるＸ線を遮蔽することになる。
【００２２】
図１及び図２のいずれの場合も図面上から明らかなように、放射線遮蔽体６（９）はＸ線検出器４（図２ではＸ線螢光増倍管７）に対して患者２が位置しない側（図では患者２とは反対側及び側面）に設けられている。
【００２３】
国内外の規格などでは上記のようなＸ線検出器の周辺に漏れる余剰放射線５の量が規定されているが、この規定値を満たすために設ける放射線遮蔽体６の遮蔽能力、すなわち放射線遮蔽体６として使用される物質の遮蔽能力は次の式１で表される。
【００２４】
Ｉ＝Ｉ０×ＥＸＰ［−μｘ］・・・（式１）
Ｉ０：　対象となる物質に入射する単一エネルギーのＸ線の強さ
Ｉ　：　対象となる物質を透過した単一エネルギーのＸ線の強さ
ｘ　：　対象となる物質の厚さ
μ　：　対象となる物質の減弱係数
ここで、減弱係数μは物質との相互作用の程度を示すもので、
１）光電効果による係数
２）レーリー散乱による係数
３）コンプトン散乱による係数
４）電子対生成による係数
の４つの項からなり、物質の種類とＸ線のエネルギーによって定まるものである。
【００２５】
例えば図３は従来放射線遮蔽体として使用されてきた鉛の減弱係数特性を示す図である。同図において、縦軸は減弱係数（／ｃｍ）、横軸はＸ線エネルギー（ｋｅＶ）を示している。同図で８８．０ｋｅＶ付近に存在する不連続点は、Ｋ吸収端とよばれＫ特性Ｘ線の励起電圧に相当するものである。
【００２６】
鉛の場合、規格で定められた規定値を満たすために、放射線遮蔽体は２ｍｍ〜３ｍｍ程度の厚さにより実現されていた。本発明において鉛以外の主物質により鉛の場合と同等以上の放射線遮蔽能力を有する放射線遮蔽体を構成するためには、上記式１の指数「μ×ｘ」（以下、減弱指数と称す）を鉛と同等もしくはそれ以上となる物質の組合せができればよいことになる。例えば２つの物質（主物質）Ａ，Ｂにより鉛に代わる放射線遮蔽体を実現するためには次の式２が満たされればよい。
【００２７】
μ（Ｐｂ）×ｘ（Ｐｂ）≦μ（Ａ）×ｘ（Ａ）＋μ（Ｂ）×ｘ（Ｂ）・・・（式２）
μ（Ｐｂ）：　鉛の減弱係数
μ（Ａ）　：　物質Ａの減弱係数
μ（Ｂ）　：　物質Ｂの減弱係数
ｘ（Ｐｂ）：　鉛の厚さ
ｘ（Ａ）　：　物質Ａの厚さ
ｘ（Ｂ）　：　物質Ｂの厚さ
図４はこのような物質Ａ及び物質Ｂの組み合せによる減弱指数が鉛の減弱指数を上回る様の一例を理論的に示すための減弱指数特性図である。同図において、縦軸は減弱指数（減弱係数（／ｃｍ）×厚さ（ｃｍ））、横軸はＸ線エネルギー（ｋｅＶ）を示している。
【００２８】
図４において、実線４１は厚さ１ｍｍの鉛（式２でｘ（Ｐｂ）＝０．１（ｃｍ））の減弱指数特性、細実線４２は厚さ２ｍｍの物質Ａ（式２でｘ（Ａ）＝０．２（ｃｍ））の減弱指数特性、細実線４３は厚さ３ｍｍの物質Ｂ（式２でｘ（Ｂ）＝０．３（ｃｍ））の減弱指数特性、太実線４４は総厚さ５ｍｍの物質Ａ及びＢの組合せの減弱指数特性、をそれぞれ示している。同図から分かるように各物質単体では全Ｘ線エネルギー帯で鉛の減弱指数を上回ることができない場合も、複数の物質を組み合せることで鉛を使用した場合と同じあるいはそれ以上の放射線遮蔽能力を得ることが可能となる。
【００２９】
次に、図５乃至図１２を用いて、本発明の第１の実施の形態を詳細に説明する。
【００３０】
本発明の第１の実施の形態として「原子番号の小さい汎用物質」と「原子番号の大きい希少物質」を組み合わせた場合の放射線遮蔽体について説明する。
【００３１】
まず、放射線遮蔽体に利用する「原子番号の小さい汎用物質」としては例えば鉄（Ｆｅ：原子番号２６）が考えられる。このような物質は入手性および経済性の面からも汎用物質と言えるが、それ単体では放射線遮蔽能力が低い。例えば１ｍｍの厚さの鉛と同等の放射線遮蔽能力を得るためには、鉄の場合で厚さ約２２ｍｍが必要になる。このため、このような物質単体で放射線遮蔽体を構成するとＸ線検出器周辺に非常に厚い放射線遮蔽体が鎮座してしまうことになり、Ｘ線診断装置の機動性が失われてしまう。特に、外科用のＸ線装置やアーム型の装置等ではＸ線検出器周りが大きくなりすぎて、可動性が損なわれ実用に耐えられない。
【００３２】
また、放射線遮蔽体に利用する「原子番号の大きい希少物質」としてはタンタル（Ｔａ：原子番号７３）やタングステン（Ｗ：原子番号７４）が考えられる。これらの物質は鉛の原子番号に比較的近いため放射線遮蔽能力は鉛とあまり変わらないが、稀少物質として大変に高価である。従って、Ｘ線発生器の近傍に設置され、Ｘ線検出器に入射するＸ線を遮蔽するような比較的薄く面積の小さい部分として用いるのには問題ないが、Ｘ線検出器およびその周辺からの余剰放射線を遮蔽するような、比較的厚く面積の大きい部分に使用するには放射線遮蔽体が非常に高価となってしまう。
【００３３】
そこで、これら「原子番号の小さい汎用物質」と「原子番号の大きい希少物質」を組み合わせることにより、それぞれの欠点を補った放射線遮蔽体を実現する。
【００３４】
図５は、本発明の第１の実施の形態に係る放射線遮蔽体の構造を示す断面図である。図５において放射線遮蔽体は鉄５１とタンタル５２とからなる。図５では各物質が交互に層になるような構成が示されているが、鉄とタンタルの２層構造でもよい（図６参照）。鉄とタンタルの場合、いずれも堅牢であるため、タンタルに比べて減弱係数の低い鉄をＸ線検出器に近い側に設けるようにしてもよい（図７参照）。図７において鉄５１はＸ線検出器７０に近接するように設けられている。これにより、いきなり減弱係数の高いタンタルで余剰放射線を遮蔽し、Ｘ線検出器に跳ね返る放射線の量を増やしてＸ線検出器での検出精度を下げてしまうことを避けることが可能である。ただし、実際には遮蔽能力は減弱指数（減弱係数×厚さ）によるので、物質の厚さの選択によっては鉄の方が遮蔽能力が上がる場合がある。その場合は上記と逆の配置が好ましくなる。なお、物質の厚さについては当該物質の入手にあたっての価格にも寄るところが大きいので、比較的安価な鉄と稀少なため高価なタンタルの厚さは後述の図９に示す範囲の組合せに基づいて決定すればよい。
【００３５】
図８は本発明の第１の実施の形態に係る放射線遮蔽体の減弱指数特性の一例を示すための減弱指数特性図である。同図において、縦軸は減弱指数（減弱係数（／ｃｍ）×厚さ（ｃｍ））、横軸はＸ線エネルギー（ｋｅＶ）を示している。
【００３６】
図８において、細実線８１は厚さ１ｍｍの鉛の減弱指数特性、太実線８２は厚さ８．６５ｍｍの鉄と厚さ０．４６ｍｍのタンタルとを組み合わせた場合の減弱指数特性、をそれぞれ示している。この場合、全Ｘ線エネルギー領域において鉛の減弱指数特性と同等または上回っているので、Ｘ線エネルギーの大小に関わらず、少なくとも鉛を使用した場合の放射線遮蔽体の遮蔽能力は有することになる。なお、上記した鉄とタンタルの厚さは厚さ１ｍｍの鉛に対するものであり、例えばＡｍｍの厚さの鉛と同等の遮蔽能力（減弱指数）を得るためにはそれぞれの厚さをＡ倍したものを組み合わせることで実現できることになる。
【００３７】
図８においては鉛１ｍｍの厚さに対し鉄とタンタルの組み合わせ方の一例として、鉄が８．６５ｍｍ、タンタルが０．４６ｍｍの場合について説明したが、各物質の厚さの組み合わせ方はこれに限られるものではない。図９は鉛の厚さ１ｍｍの場合と同等の減弱指数を得られる鉄及びタンタルのそれぞれの厚さの組合せを示す図である。同図において、縦軸は鉄の厚さ（ｍｍ）、横軸はタンタルの厚さ（ｍｍ）を示している。
【００３８】
図９に示される範囲であればいずれの場合も２つの物質を組み合わせた場合の減弱指数を鉛１ｍｍの厚さの減弱指数と同等とすることが可能である。しかしながら、タンタルの厚さが約０．７０ｍｍ〜０．７５ｍｍ以上になると鉄の厚さの減少率が小さくなってしまう。従って、タンタルの厚さが０．７０ｍｍ〜０．７５ｍｍより小さい値において鉄の厚さを選ぶ組合せが好ましい。この場合、鉄とタンタルのそれぞれの厚さの関係は次の式３で表される。
【００３９】
（鉄の厚さ）＝−２９×（タンタルの厚さ）＋２２・・・（式３）
図９から明らかなように鉄とタンタルとを組合せる場合の放射線遮蔽体の厚さは鉄の厚さに依存する部分が非常に大きい。従って、上記式３を満たす場合であっても放射線の厚さを考慮する場合は、鉄単体で放射線遮蔽体を構成する場合に要する厚さ（上記式３でタンタルの厚さ＝０とした場合、鉄の厚さ＝２２ｍｍ）の２／３程度以下の厚さで鉄を用いるのが好ましい。
【００４０】
なお、上記式３は鉛１ｍｍの厚さに対する鉄とタンタルの関係であるので、鉛Ａｍｍの厚さに等価な減弱指数を有する放射線遮蔽体を得るためには、上記式３で得られる鉄およびタンタルの厚さをそれぞれＡ倍した厚さを用いればよい。
【００４１】
以上、鉄とタンタルを組み合わせる場合について述べたが、「原子番号の小さい汎用物質」と「原子番号の大きい希少物質」を組み合わせる本発明の第１の実施の形態においては鉄とタンタルの組合せに限定されるものではない。以下、図１０乃至図１２を用いて説明する。
【００４２】
まず、鉄の代わりに鉄の合金を用いる場合について説明する。鉄の合金としては例えば鋳鉄、鋼、及びステンレス鋼が挙げられる。鋳鉄や鋼の場合、それに含まれる鉄以外の成分は微量であるため上記式３の関係に与える影響は小さい。従って、簡単には上記式３の鉄の厚さに対して係数を掛ければ、改めて図９に示すような関係を求めることなくタンタルとの組合せを得ることができる。また、ステンレス鋼の場合は鉄と原子番号が近いニッケル（Ｎｉ：原子番号２８）やクロム（Ｃｒ：原子番号２４）が鉄に含まれるが、これについては以下に図１０を用いて説明する。
【００４３】
図１０はステンレス鋼に係る物質の減弱係数特性の例を示す図である。同図において、縦軸は減弱係数（／ｃｍ）、横軸はＸ線エネルギー（ｋｅＶ）を示している。同図において、太実線１０１は鉄の減弱係数特性、細実線１０２はニッケルの減弱係数特性、細実線１０３はクロムの減弱係数特性、をそれぞれ示している。同図から明らかなように、ニッケルやクロムの減弱係数特性は鉄の減弱係数特性に近接している。従って、鋳鉄や鋼の場合と同様、簡単には上記式３の鉄の厚さに対して係数を掛ければ、改めて図９に示すような関係を求めることなくタンタルとの組合せを得ることができる。
【００４４】
以上、鉄に代わって鉄の合金を用いる場合は、鉄に対するニッケルやクロムなどの混合物質の含有量に応じて、上記式３の鉄の厚さに対して０．８〜１．２程度の修正係数を掛けた厚さにすればよい。
【００４５】
次に、鉄の合金ではなく、鉄の代わりに鉄と原子番号の近い他の物質を用いる場合について説明する。ここでは鉄と原子番号の近い物質として、チタン（Ｔｉ：原子番号２２）、クロム（Ｃｒ：原子番号２４）、マンガン（Ｍｎ：原子番号２５）、コバルト（Ｃｏ：原子番号２７）、ニッケル（Ｎｉ：原子番号２８）、銅（Ｃｕ：原子番号２９）、及び亜鉛（Ｚｎ：原子番号３０）を例にとって説明する。図１１は鉄と原子番号の近い各物質の減弱係数特性の例を示す図である。同図において、縦軸は減弱係数（／ｃｍ）、横軸はＸ線エネルギー（ｋｅＶ）を示している。
【００４６】
同図において、実線１１１はチタンの減弱係数特性、実線１１２はクロムの減弱係数特性、実線１１３はマンガンの減弱係数特性、実線１１４は鉄の減弱係数特性、実線１１５はコバルトの減弱係数特性、実線１１６はニッケルの減弱係数特性、実線１１７は銅の減弱係数特性、実線１１８は亜鉛の減弱係数特性、をそれぞれ示している。同図から明らかなように、これら各物質の減弱係数特性は鉄の減弱係数特性に近接している。従って、簡単には上記式３の鉄の厚さに対して係数を掛ければ、改めて図９に示すような関係を求めることなくタンタルとの組合せを得ることができる。
【００４７】
例えば、鉄より原子番号の小さい物質（チタン、クロム、マンガン、等）の場合はその物質に応じて上記式３で得られる鉄の厚さに対して減弱係数の差を補正する補正係数１．０〜３．０程度を、鉄より原子番号の大きい物質（コバルト、ニッケル、銅、亜鉛、等）の場合はその物質に応じて上記式３で得られる鉄の厚さに対して減弱係数の差を補正する補正係数０．７〜１．０程度を掛けた厚さにすればよい。
【００４８】
なお、鉄に代わる上記のような各物質において不純物を含む場合もしくはそれぞれを主物質とする合金である場合は、上記補正係数を掛けた上でさらに、その特性の変化を加味して０．８〜１．２程度の修正係数を掛けた厚さにすればよい。
【００４９】
以上、鉄に代わる物質について説明したが、本発明の趣旨を鑑みれば、タンタルについてもこれはあくまで一例とする物質であり、本発明の放射線遮蔽体の構成要素はこの物質に限定されることはない。例えば、タンタルの代わりにタンタルと他の物質との合金、不純物を含んだタンタル、或いはタンタルと原子番号が近接するタングステン、等を用いてもよい。
【００５０】
タンタルが他の物質との合金である場合や不純物を含んでいる場合は、上記式３で得られるタンタルの厚さに混合物の特性を加味して０．８〜１．２程度の修正係数を掛けた厚さにすればよい。
【００５１】
また、タンタルの代わりにタンタルと原子番号の近い他の物質を用いる一例としてタングステン（Ｗ）の場合について説明する。図１２はタンタルとタングステンの減弱係数特性を示す図である。同図において、縦軸は減弱係数（／ｃｍ）、横軸はＸ線エネルギー（ｋｅＶ）を示している。
【００５２】
同図において、細実線１２１はタンタルの減弱係数特性、太実線１２２はタングステンの減弱係数特性、をそれぞれ示している。同図から明らかなように、これら２つの物質の減弱係数特性は互いに近接している。従って、簡単には上記式３のタンタルの厚さに対して係数を掛ければ、改めて図９に示すような関係を求めることなく鉄との組合せを得ることができる。
【００５３】
実際、タングステンの減弱係数特性はタンタルよりも若干良い特性となっているため、上記式３で得られるタンタルの厚さに対して減弱係数の差を補正する補正係数０．８５程度を掛けた厚さにすればよい。
【００５４】
なお、タングステンが他の物質との合金である場合や不純物を含んでいる場合は、上記補正係数を掛けた上でさらに、その特性の変化を加味して０．８〜１．２程度の修正係数を掛けた厚さにすればよい。
【００５５】
以上、説明したように、本発明の第１の実施の形態によれば、「原子番号の小さい汎用物質」と「原子番号の大きい希少物質」を組み合わせることにより、「原子番号の小さい汎用物質」のみの場合の放射線遮蔽能力の低さを「原子番号の大きい希少物質」により補い、「原子番号の大きい希少物質」のみの場合の入手価格が高価となる点を「原子番号の小さい汎用物質」により補うことができる。すなわち、従来の鉛の場合と同等以上の放射線遮蔽能力を有する放射線遮蔽体を鉄を用いて構成しても比較的薄く、妥当な入手価格で実現できるという効果を奏する。
（第２の実施の形態）
次に、図１３乃至図２０を用いて、本発明の第２の実施の形態を詳細に説明する。
【００５６】
本発明の第２の実施の形態として「堅牢な物質（原子番号の小さい汎用物質）」と「減弱係数の大きい脆弱な物質」を組み合わせた場合の放射線遮蔽体について説明する。
【００５７】
まず、放射線遮蔽体に利用する「堅牢な物質（原子番号の小さい汎用物質）」としては、例えば、上述の本発明の第１の実施の形態で説明した鉄等が考えられる。このような物質は強度の面で優れ、堅牢な物質と言えるが、それ単体では放射線遮蔽能力が低い。上述したように、このような物質単体で放射線遮蔽体を構成するとＸ線検出器周辺に非常に厚い放射線遮蔽体が鎮座してしまうことになり、Ｘ線診断装置の機動性が失われてしまう。
【００５８】
また、放射線遮蔽体に利用する「減弱係数の大きい脆弱な物質」としては、例えば、放射線の吸収性が高く、Ｘ線の造影剤にも使用されているバリウム（Ｂａ：原子番号５６）やヨウ素（Ｉ：原子番号５３）等が考えられる。これらの物質は減弱係数が大きいため放射線遮蔽能力が高い一方で、それ単体では放射線遮蔽体としてＸ線診断装置の構成材料とするには強度の面で不十分である。つまり、これらの物質は粉末や液体などの非固体状で用いられることも少なくなく、単体ではその放射線遮蔽能力を生かした遮蔽体を構成することができなかった。
【００５９】
そこで、これら「堅牢な物質（原子番号の小さい汎用物質）」と「減弱係数の大きい脆弱な物質」を組み合わせることにより、それぞれの欠点を補った放射線遮蔽体を実現する。
【００６０】
図１３は、本発明の第２の実施の形態に係る放射線遮蔽体の構造を示す断面図である。図１３において放射線遮蔽体は鉄１３１とバリウム１３２とからなる。同図では各物質が交互に層に、しかも堅牢な鉄１３１が脆弱なバリウム１３２を挟むような構成が示されているが、鉄とバリウムの２層構造でもよい（図１４参照）。
【００６１】
鉄とバリウムの場合、鉄の方がバリウムよりも強度が高いので、図１３のように鉄でバリウムを挟む（鉄−バリウム−鉄の３層でもよい（図１５参照））か、Ｘ線検出器側にバリウムを配置し外側に強度の高い鉄を配置する２層構造をとることが、強度面を考えると好ましい（図１６参照）。
【００６２】
図１６において鉄１３１はＸ線検出器１６０に対してバリウム１３２を覆うように設けられている。このような配置は特にバリウムを非固体状（粉末状や液体状）で使用する場合に非常に有効である。組み合わせる物質の双方が固体状であると張り合わせの際に反り返ってしまったりして一体形成するのが困難な場合がある。しかしながら、一方の物質が非固体状である場合、固体物質によりこの非固体状の物質を覆い包み込むことで反り返りなどの心配もなく一体形成（一体配置）を容易にすることが可能になる。
【００６３】
ところで、放射線遮蔽能力の面からみると、第１の実施の形態と同様に、バリウムに比べて減弱係数の低い鉄をＸ線検出器に近い側に設ける方法もある（図１７参照）。この場合、脆弱な物質であるバリウムを支えるために、バリウム１３２の外側に何らかの容器（樹脂等）を備える必要がある。これにより、いきなり減弱係数の高いバリウムで余剰放射線（Ｘ線検出器１６０を透過してきたＸ線）を遮蔽し、Ｘ線検出器に跳ね返る放射線の量を増やしてＸ線検出器での検出精度を下げてしまうことを避けることが可能である。ただし、実際には遮蔽能力は減弱指数によるので、物質の厚さの選択によっては鉄の方が遮蔽能力が上がる場合がある。その場合は上記と逆の配置が好ましくなる。なお、実用的な面で考えると、上述のように強度面の問題があるので、本実施の形態の場合にはＸ線検出器に近い側に脆弱な物質を配置するのが好ましい。
【００６４】
図１８は本発明の第２の実施の形態に係る放射線遮蔽体の減弱指数特性の一例を示すための減弱指数特性図である。同図において、縦軸は減弱指数（減弱係数（／ｃｍ）×厚さ（ｃｍ））、横軸はＸ線エネルギー（ｋｅＶ）を示している。
【００６５】
図１８において、細実線１８１は厚さ１ｍｍの鉛の減弱指数特性、太実線１８２は厚さ５．９５ｍｍの鉄と厚さ５．９５ｍｍのバリウムとを組み合わせた場合の減弱指数特性、をそれぞれ示している。この場合、全Ｘ線エネルギー領域において鉛の減弱指数特性と同等または上回っているので、Ｘ線エネルギーの大小に関わらず、少なくとも鉛を使用した場合の放射線遮蔽体の遮蔽能力は有することになる。なお、上記した鉄とバリウムの厚さは厚さ１ｍｍの鉛に対するものであり、例えばＢｍｍの厚さの鉛と同等の遮蔽能力（減弱指数）を得るためにはそれぞれの厚さをＢ倍したものを組み合わせることで実現できることになる。
【００６６】
図１８においては鉛１ｍｍの厚さに対し鉄とバリウムの組み合わせ方の一例として、鉄が５．９５ｍｍ、バリウムが５．９５ｍｍの場合について説明したが、各物質の厚さの組み合わせ方はこれに限られるものではない。図１９は鉛の厚さ１ｍｍの場合と同等の減弱指数を得られる鉄及びバリウムのそれぞれの厚さの組合せを示す図である。同図において、縦軸は鉄の厚さ（ｍｍ）、横軸はバリウムの厚さ（ｍｍ）を示している。
【００６７】
図１９に示される範囲であればいずれの場合も２つの物質を組み合わせた場合の減弱指数を鉛１ｍｍの厚さの減弱指数と同等とすることが可能である。しかしながら、バリウムの厚さが約７．５ｍｍ以上になると鉄の厚さの減少率が小さくなってしまう。従って、バリウムの厚さが７．５ｍｍより小さい値において鉄の厚さを選ぶ組合せが好ましい。この場合、鉄とバリウムのそれぞれの厚さの関係は次の式４で表される。
【００６８】
（鉄の厚さ）＝−２．８×（バリウムの厚さ）＋２２・・・（式４）
図１９から明らかなように鉄とバリウムとを組合せる場合の放射線遮蔽体の厚さは鉄の厚さに依存する部分が比較的大きい。従って、上記式４を満たす場合であっても放射線の厚さを考慮する場合は、鉄単体で放射線遮蔽体を構成する場合に要する厚さ（上記式４でバリウムの厚さ＝０とした場合、鉄の厚さ＝２２ｍｍ）の２／３程度以下の厚さで鉄を用いるのが好ましい。
【００６９】
なお、上記式４は鉛１ｍｍの厚さに対する鉄とバリウムの関係であるので、鉛Ｂｍｍの厚さに等価な減弱指数を有する放射線遮蔽体を得るためには、上記式４で得られる鉄およびバリウムの厚さをそれぞれＢ倍した厚さを用いればよい。
【００７０】
以上、鉄とバリウムを組み合わせる場合について述べたが、「堅牢な物質（原子番号の小さい汎用物質）」と「減弱係数の大きい脆弱な物質」を組み合わせる本発明の第２の実施の形態においては鉄とバリウムの組合せに限定されるものではない。
【００７１】
バリウムが他の物質と混合している場合や不純物を含んでいる場合は、上記式４で得られるバリウムの厚さに混合物等の特性を加味して０．８〜１．２程度の修正係数を掛けた厚さにすればよい。
【００７２】
また、バリウムの代わりにバリウムと原子番号の近い他の物質を用いる一例としてヨウ素（Ｉ）の場合について説明する。図２０はバリウムとヨウ素の減弱係数特性を示す図である。同図において、縦軸は減弱係数（／ｃｍ）、横軸はＸ線エネルギー（ｋｅＶ）を示している。
【００７３】
同図において、細実線２０１はバリウムの減弱係数特性、太実線２０２はヨウ素の減弱係数特性、をそれぞれ示している。同図から明らかなように、これら２つの物質の減弱係数特性は互いに近接している。従って、簡単には上記式４のバリウムの厚さに対して係数を掛ければ、改めて図１９に示すような関係を求めることなく鉄との組合せを得ることができる。
【００７４】
実際、ヨウ素の減弱係数特性はバリウムよりも若干良い特性となっているため、上記式４で得られるバリウムの厚さに対して減弱係数の差を補正する補正係数０．８程度を掛けた厚さにすればよい。
【００７５】
ヨウ素が他の物質と混合している場合や不純物を含んでいる場合は、上記補正係数を掛けた上でさらに、その特性の変化を加味して０．８〜１．２程度の修正係数を掛けた厚さにすればよい。
【００７６】
ところで、本第２の実施の形態の鉄についてはチタン、クロム、マンガン、その他、第１の実施の形態に記載した通りである。第１の実施の形態の場合の式３を本第２の実施の形態の場合には式４として読み替えればよいので、ここでは説明を省略する。
【００７７】
なお、ヨウ素のＫ吸収端３３ＫｅＶ以上のＸ線エネルギー領域で減弱係数が一致するスズ（Ｓｎ：原子番号５０）及びスズ合金を用いる場合も、ヨウ素及びヨウ素の化合物と同等の遮蔽効果が得られる。
【００７８】
以上、説明したように、本発明の第２の実施の形態によれば、「堅牢な物質（原子番号の小さい汎用物質）」と「減弱係数の大きい脆弱な物質」を組み合わせることにより、「堅牢な物質（原子番号の小さい汎用物質）」のみの場合の放射線遮蔽能力の低さを「減弱係数の大きい脆弱な物質」により補い、「減弱係数の大きい脆弱な物質」のみの場合の強度に劣る点を「堅牢な物質（原子番号の小さい汎用物質）」により補うことができる。すなわち、従来の鉛の場合と同等以上の放射線遮蔽能力を有する放射線遮蔽体を鉄を用いて構成しても比較的薄く、十分な強度にて実現できるという効果を奏する。
（第３の実施の形態）
最後に、図２１乃至図２６を用いて、本発明の第３の実施の形態を詳細に説明する。
【００７９】
本発明の第３の実施の形態として「堅牢な物質（原子番号の大きい希少物質）」と「減弱係数の大きい脆弱な物質」を組み合わせた場合の放射線遮蔽体について説明する。
【００８０】
まず、放射線遮蔽体に利用する「堅牢な物質（原子番号の大きい希少物質）」としては、例えば、上述の本発明の第１の実施の形態で説明したタンタルやタングステンが考えられる。これらの物質は上述の本発明の第１の実施の形態で説明した「鉛の原子番号に比較的近いため放射線遮蔽能力は鉛とあまり変わらない」という他に、強度の面においても優れ、堅牢な物質と言えるが、稀少物質として大変に高価である。従って、Ｘ線発生器の近傍に設置され、Ｘ線検出器に入射するＸ線を遮蔽するような比較的薄く面積の小さい部分として用いるのには問題ないが、Ｘ線検出器およびその周辺からの余剰放射線を遮蔽するような、比較的厚く面積の大きい部分に使用するには放射線遮蔽体が非常に高価となってしまう。
【００８１】
また、放射線遮蔽体に利用する「減弱係数の大きい脆弱な物質」としては、上述の本発明の第２の実施の形態で説明したように、例えば、放射線の吸収性が高く、Ｘ線の造影剤にも使用されているバリウムやヨウ素等が考えられる。これらの物質は減弱係数が大きいため放射線遮蔽能力が高い一方で、それ単体では放射線遮蔽体としてＸ線診断装置の構成材料とするには強度の面で不十分である。つまり、これらの物質は粉末や液体などの非固体状で用いられることも少なくなく、単体ではその放射線遮蔽能力を生かした遮蔽体を構成することができなかった。
【００８２】
そこで、これら「堅牢な物質（原子番号の大きい希少物質）」と「減弱係数の大きい脆弱な物質」を組み合わせることにより、それぞれの欠点を補った放射線遮蔽体を実現する。
【００８３】
図２１は、本発明の第３の実施の形態に係る放射線遮蔽体の構造を示す断面図である。図２１において放射線遮蔽体はタンタル２１１とバリウム２１２とからなる。同図では各物質が交互に層に、しかも堅牢なタンタルが脆弱なバリウムを挟むような構成が示されているが、タンタルとバリウムの２層構造でもよい（図２２参照）。
【００８４】
タンタルとバリウムの場合、タンタルの方がバリウムよりも強度が高いので、図２１のようにタンタルでバリウムを挟む（鉄−バリウム−鉄の３層でもよい（図２３参照））か、Ｘ線検出器側にバリウムを配置し外側に強度の高いタンタルを配置する２層構造をとることが、強度面を考えると好ましい（図２４参照）。
【００８５】
図２４においてタンタル２１１はＸ線検出器２４０に対してバリウム２１２を覆うように設けられている。このような配置は特にバリウムを非固体状（粉末状や液体状）で使用する場合に非常に有効である。組み合わせる物質の双方が固体状であると張り合わせの際に反り返ってしまったりして一体形成するのが困難な場合がある。しかしながら、一方の物質が非固体状である場合、固体物質によりこの非固体状の物質を覆い包み込むことで反り返りなどの心配もなく一体形成（一体配置）を容易にすることが可能になる。
【００８６】
これはまた、放射線遮蔽能力の面からみても、タンタルに比べて減弱係数のやや低いバリウムをＸ線検出器に近い側に設けるのが好ましい。このようにすることで、いきなり減弱係数のより高いタンタルで余剰放射線を遮蔽し、Ｘ線検出器に跳ね返る放射線の量を増やしてＸ線検出器での検出精度を下げてしまうことを避けることが可能である。
【００８７】
図２５は本発明の第３の実施の形態に係る放射線遮蔽体の減弱指数特性の一例を示すための減弱指数特性図である。同図において、縦軸は減弱指数（減弱係数（／ｃｍ）×厚さ（ｃｍ））、横軸はＸ線エネルギー（ｋｅＶ）を示している。
【００８８】
図２５において、細実線２５１は厚さ１ｍｍの鉛の減弱指数特性、太実線２５２は厚さ０．５２ｍｍのタンタルと厚さ４．６８ｍｍのバリウムとを組み合わせた場合の減弱指数特性、をそれぞれ示している。この場合、全Ｘ線エネルギー領域において鉛の減弱指数特性と同等または上回っているので、Ｘ線エネルギーの大小に関わらず、少なくとも鉛を使用した場合の放射線遮蔽体の遮蔽能力は有することになる。なお、上記したタンタルとバリウムの厚さは厚さ１ｍｍの鉛に対するものであり、例えばＣｍｍの厚さの鉛と同等の遮蔽能力（減弱指数）を得るためにはそれぞれの厚さをＣ倍したものを組み合わせることで実現できることになる。
【００８９】
図２５においては鉛１ｍｍの厚さに対しタンタルとバリウムの組み合わせ方の一例として、タンタルが０．５２ｍｍ、バリウムが４．６８ｍｍの場合について説明したが、各物質の厚さの組み合わせ方はこれに限られるものではない。図２６は鉛の厚さ１ｍｍの場合と同等の減弱指数を得られるタンタル及びバリウムのそれぞれの厚さの組合せを示す図である。同図において、縦軸はタンタルの厚さ（ｍｍ）、横軸はバリウムの厚さ（ｍｍ）を示している。
【００９０】
図２６に示される範囲であればいずれの場合も２つの物質を組み合わせた場合の減弱指数を鉛１ｍｍの厚さの減弱指数と同等とすることが可能である。タンタルとバリウムのそれぞれの厚さの関係は次の式５で表される。
【００９１】
（タンタルの厚さ）＝−０．０９７×（バリウムの厚さ）＋０．９７・・・（式５）
図２６から明らかなようにタンタルとバリウムとを組合せる場合の放射線遮蔽体の厚さはバリウムの厚さに依存する部分が非常に大きい。従って、上記式５を満たす場合であっても放射線の厚さを考慮する場合は、バリウム単体で放射線遮蔽体を構成する場合に要する厚さ（上記式５でタンタルの厚さ＝０とした場合、バリウムの厚さ＝１０ｍｍ）の２／３程度以下の厚さでバリウムを用いるのが好ましい。
【００９２】
なお、上記式５は鉛１ｍｍの厚さに対するタンタルとバリウムの関係であるので、鉛Ｃｍｍの厚さに等価な減弱指数を有する放射線遮蔽体を得るためには、上記式５で得られるタンタルおよびバリウムの厚さをそれぞれＣ倍した厚さを用いればよい。
【００９３】
以上、タンタルとバリウムを組み合わせる場合について述べたが、「堅牢な物質（原子番号の大きい希少物質）」と「減弱係数の大きい脆弱な物質」を組み合わせる本発明の第３の実施の形態においてはタンタルとバリウムの組合せに限定されるものではない。
【００９４】
上記本実施の形態のタンタルについては第１の実施の形態に記載した通り例えばタングステンなどを代替物質として用いてもよい。なお、第１の実施の形態の場合の式３を本第３の実施の形態の場合には式５として読み替えればよいので、ここでは説明を省略する。
【００９５】
また、上記本実施の形態のバリウムについては第２の実施の形態に記載した通り例えばヨウ素などを代替物質として用いてもよい。なお、第２の実施の形態の場合の式４を本第３の実施の形態の場合には式５として読み替えればよいので、ここでは説明を省略する。
【００９６】
さらに、ヨウ素のＫ吸収端３３ＫｅＶ以上のＸ線エネルギー領域で減弱係数が一致するスズ（Ｓｎ：原子番号５０）及びスズ合金を用いる場合も、ヨウ素及びヨウ素の化合物と同等の遮蔽効果が得られる。
【００９７】
なお、上記タンタルとバリウムの組合せは、図２５からも分かるようにＫ吸収端の不連続点がＸ線エネルギーで４０ｋｅＶ及び７０ｋｅＶ付近にできるため、特開昭６３−６１９９９号で指摘するＫ特性Ｘ線の発生が認められる。しかしながら、Ｋ吸収点がこれら２つの不連続点より低い１０ｋｅＶ近傍以下の領域に存在する原子番号が３０以下の物質をさらに組み合わせて用いるとこの影響は小さくなる。
【００９８】
以上、説明したように、本発明の第３の実施の形態によれば、「堅牢な物質（原子番号の大きい希少物質）」と「減弱係数の大きい脆弱な物質」を組み合わせることにより、「堅牢な物質（原子番号の大きい希少物質）」のみの場合の入手価格が高価となる点を「減弱係数の大きい脆弱な物質」により補い、「減弱係数の大きい脆弱な物質」のみの場合の強度に劣る点を「堅牢な物質（原子番号の大きい希少物質）」により補うことができる。すなわち、従来の鉛の場合と同等以上の放射線遮蔽能力を有する放射線遮蔽体を妥当な入手価格で、十分な強度にて実現できるという効果を奏する。
【００９９】
以上、本発明によれば、放射線遮蔽体に従来使用してきた鉛をその遮蔽体の主となる物質とすることなく、鉛の場合と同等以上の遮蔽能力を有する放射線遮蔽体を構成することが可能となる。減弱係数及び強度、さらには入手困難度（価格）の異なる物質（構成要素）の組合せにより、例えば、遮蔽能力は高いが強度に劣る物質についても遮蔽能力は劣るが強度に優れた物質と組み合せることにより、実質的に鉛を使わなくても実用的な放射線遮蔽体を提供することができる。
【０１００】
なお、本発明は上述した各発明の実施の形態に限定されるものではない。各発明の実施の形態において説明した放射線遮蔽体はＸ線診断装置にのみ適用可能とするものではなく例えばＸ線ＣＴ装置などＸ線を発生して診断するいかなる放射線診断装置にも適用可能である。また、本発明の実施の形態では鉄（又は鉄と原子番号が近接する物質）と組合せる物質として、タンタル又はタンタルと原子番号が近接する物質（第１の実施の形態）及びバリウム及びバリウムと原子番号が近接する物質（第２の実施の形態）について説明したが、本発明においてはこれらの組合せに限られるものではなく、鉄（又は鉄と原子番号が近接する物質）より原子番号が大きく鉛より原子番号が小さい物質であればよい。さらに、本発明の実施の形態ではいずれの場合も２種類の物質を主要な物質として説明したが、本発明においては３種類以上の複数物質により放射線遮蔽体を構成してもよい。
【０１０１】
さらにまた、各発明の実施の形態において示した物質以外であっても本発明の主旨を逸脱しない範囲であれば本発明を実現する物質となり得ることは言うまでもない。
【０１０２】
［付記］
前記タンタルと原子番号が近接する物質はタングステンであることを特徴とする放射線遮蔽体。
【０１０３】
前記バリウムと原子番号が近接する物質はヨウ素又はスズであることを特徴とする放射線遮蔽体。
【０１０４】
前記所定の厚さは３ｍｍ以下であることを特徴とする放射線遮蔽体。
【０１０５】
前記第１の構成要素及び第２の構成要素のうち強度の低い方の構成要素を強度の高い方の構成要素で覆うことを特徴とする放射線遮蔽体。
【０１０６】
前記第１の構成要素及び第２の構成要素のうち減弱指数の低い方の構成要素を減弱指数の高い方の構成要素よりも被放射線遮蔽体に近接する態様にて設けることを特徴とする放射線遮蔽体。
【０１０７】
前記第１の構成要素の主物質は鉄又は鉄と原子番号が近接する物質であり、前記第２の構成要素の主物質はタンタル又はタンタルと原子番号が近接する物質であることを特徴とする放射線遮蔽体。
【０１０８】
前記第１の構成要素の主物質の厚さは、前記第１の構成要素及び前記第２の構成要素をそれぞれ適当な厚さにして組み合わせたときに得られる減弱指数を前記第１の構成要素のみで達成するときの厚さの２／３以下となることを特徴とする放射線遮蔽体。
【０１０９】
前記第１の構成要素及び前記第２の構成要素をそれぞれ適当な厚さにして組み合わせたときに得られる減弱係数が厚さ１ｍｍの鉛により得られる減弱係数のＸ倍であるとき、前記第２の構成要素の主物質の厚さをＸ分の１にした値が０．７５ｍｍ未満となることを特徴とする放射線遮蔽体。
【０１１０】
前記第１の構成要素の主物質はバリウム又はバリウムと原子番号が近接する物質であり、前記第２の構成要素の主物質は鉄又は鉄と原子番号が近接する物質であることを特徴とする放射線遮蔽体。
【０１１１】
前記第２の構成要素の主物質の厚さは、前記第１の構成要素及び前記第２の構成要素をそれぞれ適当な厚さにして組み合わせたときに得られる減弱指数を前記第２の構成要素のみで達成するときの厚さの２／３以下となることを特徴とする放射線遮蔽体。
【０１１２】
前記第１の構成要素及び前記第２の構成要素をそれぞれ適当な厚さにして組み合わせたときに得られる減弱係数が厚さ１ｍｍの鉛により得られる減弱係数のＸ倍であるとき、前記第１の構成要素の主物質の厚さをＸ分の１にした値が７．５ｍｍ未満となることを特徴とする放射線遮蔽体。
【０１１３】
前記第１の構成要素の主物質はバリウム又はバリウムと原子番号が近接する物質であり、前記第２の構成要素の主物質はタンタル又はタンタルと原子番号が近接する物質であることを特徴とする放射線遮蔽体。
【０１１４】
前記第１の構成要素の主物質の厚さは、前記第１の構成要素及び前記第２の構成要素をそれぞれ適当な厚さにして組み合わせたときに得られる減弱指数を前記第１の構成要素のみで達成するときの厚さの２／３以下となることを特徴とする放射線遮蔽体。
【０１１５】
【発明の効果】
本発明によれば、各物質において互いの長所により互いの短所を補うことができるような複数の物質を組み合わせることにより、鉛を主とすることなく放射線遮蔽体を構成することが可能になる。
【図面の簡単な説明】
【図１】本発明を説明するためのＸ線診断装置の側面図。
【図２】本発明の放射線遮蔽体を光電子増倍管に適用する場合の一例を示すＸ線診断装置の側面図。
【図３】鉛の減弱係数特性を示す減弱係数特性図。
【図４】本発明の物質の組合せによる減弱指数が鉛の減弱指数を上回る例を示す減弱指数特性図。
【図５】本発明の第１の実施の形態に係る放射線遮蔽体の構造の第１の例を示す断面図。
【図６】本発明の第１の実施の形態に係る放射線遮蔽体の構造の第２の例を示す断面図。
【図７】本発明の第１の実施の形態に係る放射線遮蔽体のＸ線検出器に対する配置構造の例を示す断面図。
【図８】本発明の第１の実施の形態に係る放射線遮蔽体の減弱指数特性の一例を示すための図。
【図９】鉛と同等以上の減弱指数を得る鉄及びタンタルの厚さの関係を示す図。
【図１０】ステンレス鋼に係る物質の減弱係数特性の例を示す図。
【図１１】鉄と原子番号の近い物質の減弱係数特性の例を示す図。
【図１２】タンタルとタングステンの減弱係数特性を示す図。
【図１３】本発明の第２の実施の形態に係る放射線遮蔽体の構造の第１の例を示す断面図。
【図１４】本発明の第２の実施の形態に係る放射線遮蔽体の構造の第２の例を示す断面図。
【図１５】本発明の第２の実施の形態に係る放射線遮蔽体の構造の第３の例を示す断面図。
【図１６】本発明の第２の実施の形態に係る放射線遮蔽体のＸ線検出器に対する配置構造の第１の例を示す断面図。
【図１７】本発明の第２の実施の形態に係る放射線遮蔽体のＸ線検出器に対する配置構造の第２の例を示す断面図。
【図１８】本発明の第２の実施の形態に係る放射線遮蔽体の減弱指数特性の一例を示すための図。
【図１９】鉛と同等以上の減弱指数を得る鉄及びバリウムの厚さの関係を示す図。
【図２０】バリウムとヨウ素の減弱係数特性を示す図。
【図２１】本発明の第３の実施の形態に係る放射線遮蔽体の構造の第１の例を示す断面図。
【図２２】本発明の第３の実施の形態に係る放射線遮蔽体の構造の第２の例を示す断面図。
【図２３】本発明の第３の実施の形態に係る放射線遮蔽体の構造の第３の例を示す断面図。
【図２４】本発明の第３の実施の形態に係る放射線遮蔽体のＸ線検出器に対する配置構造の例を示す断面図。
【図２５】本発明の第３の実施の形態に係る放射線遮蔽体の減弱指数特性の一例を示すための図。
【図２６】鉛と同等以上の減弱指数を得るタンタル及びバリウムの厚さの関係を示す図。
【符号の説明】
１・・・Ｘ線発生器
３・・・寝台
４，７０，１６０，２４０・・・Ｘ線検出器
６，９・・・放射線遮蔽体
７・・・光電子増倍管
８・・・テレビカメラ
５１，１３１・・・鉄
５２，２１１・・・タンタル
８１，１８１，２５１・・・鉛の減弱指数特性
８２・・・鉄とタンタルを組み合わせた場合の減弱指数特性
１０１・・・鉄の減弱係数特性
１２１・・・タンタルの減弱係数特性
１３２，２１２・・・バリウム
１８２・・・鉄とバリウムを組み合わせた場合の減弱指数特性
２０１・・・バリウムの減弱係数特性
２５２・・・タンタルとバリウムを組み合わせた場合の減弱指数特性
【図１】
2004028789.tif 000003
【図２】
2004028789.tif 000004
【図３】
2004028789.tif 000005
【図４】
2004028789.tif 000006
【図５】
2004028789.tif 000007
【図６】
2004028789.tif 000008
【図７】
2004028789.tif 000009
【図８】
2004028789.tif 000010
【図９】
2004028789.tif 000011
【図１０】
2004028789.tif 000012
【図１１】
2004028789.tif 000013
【図１２】
2004028789.tif 000014
【図１３】
2004028789.tif 000015
【図１４】
2004028789.tif 000016
【図１５】
2004028789.tif 000017
【図１６】
2004028789.tif 000018
【図１７】
2004028789.tif 000019
【図１８】
2004028789.tif 000020
【図１９】
2004028789.tif 000021
【図２０】
2004028789.tif 000022
【図２１】
2004028789.tif 000023
【図２２】
2004028789.tif 000024
【図２３】
2004028789.tif 000025
【図２４】
2004028789.tif 000026
【図２５】
2004028789.tif 000027
【図２６】
2004028789.tif 000028